(57)【要約】【課題】固定の制御及び固定の解除に便利で、しかも固定時には極めて堅牢であるキャスター固定構造を提供する。【解決手段】キャスター固定構造は、スーツケース、イスのキャスターに使用する固定構造で、すぐれた実用効果を備え、本体10にキャスター13、固定機構を組み立て、キャスター13には複数の係合槽14を設置し、固定機構は制御ボタン31、定位台20、昇降台24、クランク26、封鎖蓋30からなり、制御ボタン31は係合定位柱33を備え、クランク26は軸心27、定位柱28を備え、定位台20はレールブロック21、22、係合定位槽23を備え、昇降台24は軸孔25を備え、クランク26の軸心を組み合わせることができ、足で制御ボタン31を踏んで押すだけで、係合定位柱33を制御し、キャスター13の係合槽14に係合させ、或いは係合槽14から離脱させ、使用上の利便性とキャスターを堅固に固定する効果を達成する。【選択図】図１
0003172039.tif 000002
【実用新案登録請求の範囲】
【請求項１】
キャスター固定構造は、本体を備え、
該本体は、中空状を呈し、キャスターを設置し、及び収容設置槽、軸柱を備え、
該収容設置槽中には、固定機構を組み合わせて設置し、
該固定機構は、制御ボタン、定位台、昇降台、クランク、封鎖蓋からなり、
該定位台中には、２個のレールブロックを備え、係合定位槽を形成し、
該昇降台は、該定位台中に組合せ、軸孔を備え、
該クランクは、軸心、定位柱を備え、
該軸心は、該昇降台の軸孔に組み合わせ、
該軸心と該定位台底部間には、バネを設置し、
該制御ボタンは、該昇降台上に組み合わせ、該制御ボタンは、係合定位柱、軸孔を備え、該制御ボタンの軸孔には、該本体の軸柱が入り、
上記した構造により、該制御ボタンを押すことで、該制御ボタン、該昇降台、該クランクを昇降させられ、
これにより、該クランクの定位柱を制御し、該定位台のレールブロックの係合定位槽に係合させ、或いは該係合定位槽から離脱させ、
同時に、該制御ボタンの係合定位柱を制御し、該キャスター係合槽から離脱させ、或いは該キャスターの係合槽に係合させ、
こうして、該係合定位柱は、キャスターを固定でき、キャスターの固定を解除できることを特徴とするキャスター固定構造。
【考案の詳細な説明】
【技術分野】
【０００１】
本考案はキャスター固定構造に関し、特にスーツケース、イスのキャスターに使用し、固定の制御及び固定の解除に便利で、しかも固定時には極めて堅牢であるキャスター固定構造に関する。
【背景技術】
【０００２】
従来のスーツケース、イスキャスターの大部分には、固定(別名ブレーキ)構造がなく、固定構造を持つものはわずかである。
一方、固定構造を持つ従来のキャスターにおいて、その固定構造は、「挟定式」に設置され、制御柄を備える。
該制御柄には、挟ブロックを設置する。
該挟ブロックは、車輪面上に設置され、制御柄を操作することで、挟ブロックは、車輪面を挟んで止め、ブレーキ(固定)の効果を達成する。
【０００３】
しかし、上記した構造には以下のような欠点が存在する。
１．必ず「手」で制御柄を操作しなければならない。すなわち、必ず腰を曲げて手で制御柄を動かさなければならないため、使用において不便である。
２．挟ブロックがキャスター表面を挟む「摩擦式」ブレーキであるため、その堅固性が劣る。
本考案は、従来のキャスター固定構造の上記した欠点に鑑みてなされたものである。
【先行技術文献】
【特許文献】
【０００４】
【特許文献１】特開２００３−３２５５８５号公報
【考案の概要】
【考案が解決しようとする課題】
【０００５】
本考案が解決しようとする課題は、スーツケース、イスのキャスターに使用し、固定の制御及び固定の解除に便利で、しかも固定時には極めて堅牢であるキャスター固定構造を提供することである。
【課題を解決するための手段】
【０００６】
上記課題を解決するため、本考案は下記のキャスター固定構造を提供する。
キャスター固定構造は、キャスターに係合槽を設置し、該キャスターを設置する本体には、固定機構を設置し、
該固定機構には、定位台、昇降台、クランク、制御ボタンを設置し、
該定位台中には、レールブロック、係合定位槽を備え、これにより該昇降台及び該クランクは昇降し、
該クランクは、定位柱を備え、該定位台の係合定位槽に係合して定位でき、及び係合定位槽から離脱でき、
制御ボタンもまた昇降でき、係合定位柱を備え、
固定状態にある時には、該係合定位柱は、該キャスターの係合槽に係合するため、足で制御ボタンを踏んで押し昇降させることができ、
使用において極めて便利で、しかも該係合定位柱は、キャスターの係合槽に係合するため、堅固な固定を達成することができる。
【考案の効果】
【０００７】
本考案のキャスター固定構造は、スーツケース、イスのキャスターに使用でき、固定の制御及び固定の解除が非常に便利で、しかも固定時には極めて堅牢である。
【図面の簡単な説明】
【０００８】
【図１】本考案の立体分解図である。
【図２】本考案の組合せ立体図である。
【図３】本考案の組合せ断面固定状態図である。
【図４】本考案の固定状態を示す側視断面図である。
【図５】本考案の開放状態を示す正視断面図である。
【図６】本考案の開放状態を示す側視断面図である。
【図７】本考案が開放状態から再び固定状態に回復する動作を示す模式図である。
【考案を実施するための形態】
【０００９】
以下に図面を参照しながら本考案を実施するための最良の形態について詳細に説明する。
【実施例】
【００１０】
図１〜７に示すように、本考案キャスター固定構造は、本体10上方に、固定台15を組み合わせて設置する。
【００１１】
該本体10は、中空状を呈し、キャスター13を設置し、及び収容設置槽11、軸柱12を備える。
【００１２】
該収容設置槽11中には、固定機構を組み合わせて設置し、該固定機構は、制御ボタン31、定位台20、昇降台24、クランク26、封鎖蓋30からなる。
【００１３】
該定位台20中には、２個のレールブロック21、22を備え、係合定位槽23を形成する。
【００１４】
該昇降台24は、該定位台20中に組合せ、軸孔25を備える。
【００１５】
該クランク26は、軸心27、定位柱28を備え、該軸心27は、該昇降台24の軸孔25に組み合わせる。
【００１６】
該軸心27と該定位台20底部間には、バネ29を設置する。
【００１７】
制御ボタン31は、該昇降台24上に組み合わせ、該制御ボタン31は、係合定位柱33、軸孔32を備え、該制御ボタン31の軸孔32には、該本体10の軸柱12が入る。
【００１８】
上記した構造において、その作用、効果を以下に詳細に説明する。
一、キャスターの固定(ブレーキ)：
図３、４に示すように、該バネ29の弾力により、該昇降台24、該制御ボタン31は上昇するため、該クランク26もまた上昇し、該定位柱28は、該定位台20の係合定位槽23を離脱する。
しかも、該制御ボタン31は上昇し、これにより係合定位柱33は、該キャスター13の係合槽14に係合し、該係合定位柱33、該係合槽14の係合定位により、キャスター13は堅固に固定される。
【００１９】
二、開放(固定解除)：
図５、６に示すように、該キャスター13の固定を解除する時には、該制御ボタン31を押す(或いは、足で踏む)ことで、該制御ボタン31、該昇降台24は下降し、これにより該クランク26も下降する。
該クランク26の定位柱28は、レールブロック21に従い下降し、該レールブロック21下方の係合定位槽23に係合し、該定位柱28は、該係合定位槽23中に定位され、定位の保持を形成する。
こうして、該制御ボタン31は下降し、該係合定位柱33は、該キャスター13の係合槽14を離脱し、該キャスター13は回転可能となる。
【００２０】
該キャスター13を再び固定する時には、図７に示すように、該制御ボタン31を再び押し、該昇降台24、該クランク26を再びわずかに下降させる。
これにより、該定位柱28は該係合定位槽23を離脱し、該昇降台24は再上昇し、図３、４に示す状態を回復し、該制御ボタン31の係合定位柱33は、該キャスター13の係合槽14に再度係合する。
【００２１】
上記したように、本考案は使用上の利便性と堅固に固定可能であるという効果を備え、極めて優れた実用性を達成することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
10  本体
11  収容設置槽
12  軸柱
13  キャスター
14  係合槽
15  固定台
20  定位台
21、22  レールブロック
23  係合定位槽
24  昇降台
25、32  軸孔
26  クランク
27  軸心
28  定位柱
29  バネ
30  封鎖蓋
31  制御ボタン
33  係合定位柱
【図１】
0003172039.tif 000003
【図２】
0003172039.tif 000004
【図３】
0003172039.tif 000005
【図４】
0003172039.tif 000006
【図５】
0003172039.tif 000007
【図６】
0003172039.tif 000008
【図７】
0003172039.tif 000009